(57)【特許請求の範囲】
【請求項１】
樹脂製のベースと、前記ベースの前面に取り付けられた樹脂製のカバーとを備えた高圧用電力量計であって、
前記ベースのカバー取付部位に板状部を前面側へ突設すると共に、前記カバーのベース取付部位に前記板状部が収容される凹状部を設け、前記板状部の内側面に突起を形成すると共に凹状部の内側隔壁部に凹孔を形成し、前記板状部の突起を前記内側隔壁部の凹孔に係止させ、板状部の先端に形成された貫通孔と凹状部の外側隔壁部に形成された貫通孔とに封印線を挿通させて封印したことを特徴とする高圧用電力量計。
【請求項２】
前記板状部の突起を前記内側隔壁部の凹孔に係止させた引掛け部を、前記カバーにおける凹状部の外側隔壁部で覆う構造とした請求項１に記載の高圧用電力量計。
【請求項３】
前記ベースの背面に開口して板状部の内側面に沿って隣接する空隙部をベースに設け、前記板状部の内側面に突設されたリブを前記空隙部に配置し、空隙部に挿入されたピンにより前記リブを外側へ後退させることにより、板状部の突起と内側隔壁部の凹孔との係止状態を解除可能とした請求項１又は２に記載の高圧用電力量計。
【発明の詳細な説明】
【技術分野】
【０００１】
本発明は、例えばビルや工場などの電力需要家が使用する電力量を計測して表示する高圧用電力量計に関する。
【背景技術】
【０００２】
一般的に、電力需要家が使用する電力量を計測して表示する電力量計には、一般家庭に設置される低圧用電力量計と、ビルや工場などに設置される高圧用電力量計とがある。この高圧用電力量計の一種に、特許文献１で開示されるような電子式電力量計がある。
【０００３】
従来の高圧用電力量計は、図１４および図１５に示すように、電力需要家が使用する電力量を計測する計測部（図示せず）、およびその電力量を表示する表示部（図示せず）を搭載した鉄製のベース１１１と、そのベース１１１の前面に取り付けられた鉄製のカバー１１２とからなる筐体１１３を具備する。
【０００４】
ベース１１１の下部には、電力供給設備からの配電線が接続される電源側端子と、電力需要家内の負荷への配電線が接続される負荷側端子とを有する端子部１１４が設けられている。また、カバー１１２の前面には、表示部が目視できるように透明ガラス１１５が配されている。
【０００５】
この高圧用電力量計は、ベース１１１およびカバー１１２からなる筐体１１３が鉄製であり、そのカバー１１２は、筐体１１３の上部および左右両側でねじ１１６，１１７によりベース１１１に取り付けられた構造を有する。
【０００６】
この種の高圧用電力量計については、数年ごとに定期的に点検が実施され、その点検後に検定所にて封印される。この封印により、カバー１１２をベース１１１から取り外す不正行為を防止するようにしている。
【０００７】
その封印構造では、図１６に示すように、筐体１１３の左右両側に配置されたねじ１１７の頭部１１８に設けられた貫通孔１１９と、カバー１１２のフランジ部１２０に設けられた小孔１２１とに封印線１２２を挿通し、その封印線１２２の両端を鉛封印１２３で締結するようにしている。
【先行技術文献】
【特許文献】
【０００８】
【特許文献１】特開２００６−１７０７８７号公報
【発明の概要】
【発明が解決しようとする課題】
【０００９】
ところで、前述した従来の高圧用電力量計は、ベース１１１およびカバー１１２からなる筐体１１３が鉄製であったことから、カバー１１２をベース１１１に取り付けるためのねじ１１７を利用した封印構造を採用していた。
【００１０】
しかしながら、近年、高圧用電力量計においても、ベース１１１およびカバー１１２からなる筐体１１３にプラスチック等の樹脂製のものが採用されつつある。これに起因して、ベース１１１に対するカバー１１２の簡易な取り付け構造が要望され、そのような簡易なカバー取り付け構造を利用した封印構造が必要とされている。
【００１１】
そこで、本発明は前述の改善点に鑑みて提案されたもので、その目的とするところは、樹脂製の筐体に対して簡易なカバー取り付け構造およびそれに伴う封印構造を容易に実現し得る高圧用電力量計を提供することにある。
【課題を解決するための手段】
【００１２】
本発明に係る高圧用電力量計は、樹脂製のベースと、そのベースの前面に取り付けられた樹脂製のカバーとからなる筐体を備えた構造を具備する。
【００１３】
前述の目的を達成するための技術的手段として、本発明は、ベースのカバー取付部位に板状部を前面側へ突設すると共に、カバーのベース取付部位に板状部が収容される凹状部を設け、板状部の内側面に突起を形成すると共に凹状部の内側隔壁部に凹孔を形成し、板状部の突起を内側隔壁部の凹孔に係止させ、板状部の先端に形成された貫通孔と凹状部の外側隔壁部に形成された貫通孔とに封印線を挿通させて封印したことを特徴とする。
【００１４】
本発明では、ベースの板状部をカバーの凹状部に収容し、その板状部の突起を内側隔壁部の凹孔に係止させる簡易な構造でもって、カバーをベースに取り付けることができる。また、この板状部の突起と内側隔壁部の凹孔との係止構造では、板状部の貫通孔と外側隔壁部の貫通孔とが同軸上に配置されることで、これら２つの貫通孔に封印線を容易に挿通させることができる。
【００１５】
本発明において、板状部の突起を内側隔壁部の凹孔に係止させた引掛け部を、カバーにおける凹状部の外側隔壁部で覆う構造が望ましい。
【００１６】
本発明における引掛け部は、板状部の内側面に形成された突起と凹状部の内側隔壁部に形成された凹孔との係止構造を採用している。これにより、引掛け部をカバーの外側隔壁部で覆う構造を容易に実現することができ、ベースからカバーを取り外す不正行為を確実に防止できる。
【００１７】
本発明において、ベースの背面に開口して板状部の内側面に沿って隣接する空隙部をベースに設け、板状部の内側面に突設されたリブを空隙部に配置し、空隙部に挿入されたピンによりリブを外側へ後退させることにより、板状部の突起と内側隔壁部の凹孔との係止状態を解除可能とした構造が望ましい。
【００１８】
このような構造を採用すれば、ベースの背面側からの操作により、板状部の突起と内側隔壁部の凹孔との係止状態を容易に解除することができる。一方、このような構造の場合、ベースを建築物の壁面に取り付けた電力量計の設置状態では、ベースからカバーを取り外す不正行為を確実に防止できる。
【発明の効果】
【００１９】
本発明によれば、ベースの板状部をカバーの凹状部に収容し、その板状部の突起を内側隔壁部の凹孔に係止させる簡易な構造でもって、カバーをベースに取り付けることができる。また、この板状部の突起と内側隔壁部の凹孔との係止構造では、板状部の貫通孔と外側隔壁部の貫通孔とが同軸上に配置されることで、これら２つの貫通孔に封印線を容易に挿通させることができる。
【００２０】
その結果、樹脂製のベースおよびカバーに対して簡易なカバー取り付け構造およびそれに伴う封印構造を容易に実現することができる。
【図面の簡単な説明】
【００２１】
【図１】本発明に係る高圧用電力量計の実施形態で、ベースに対してカバーを取り付ける前の状態を筐体の下部側から見た斜視図である。
【図２】本発明に係る高圧用電力量計の実施形態で、ベースに対してカバーを取り付ける前の状態を筐体の上部側から見た斜視図である。
【図３】本発明に係る高圧用電力量計の実施形態で、ベースに対してカバーを取り付けた後の状態を筐体の下部側から見た斜視図である。
【図４】本発明に係る高圧用電力量計の実施形態で、ベースに対してカバーを取り付けた後の状態を筐体の上部側から見た斜視図である。
【図５】図１および図２において、筐体の上部に位置するベースのカバー取付部位およびカバーのベース取付部位を示す拡大断面図である。
【図６】図３および図４において、筐体の上部に位置するベースのカバー取付部位およびカバーのベース取付部位を示す拡大断面図である。
【図７】図１および図２において、筐体の右側に位置するベースのカバー取付部位およびカバーのベース取付部位を示す拡大断面図である。
【図８】図３および図４において、筐体の右側に位置するベースのカバー取付部位およびカバーのベース取付部位を示す拡大断面図である。
【図９】ベースに対するカバーの取り付け要領を説明するためのもので、筐体の上部側から見た斜視図である。
【図１０】ベースに対するカバーの取り付け要領を説明するためのもので、筐体の下部側から見た斜視図である。
【図１１】カバーを取り外すための治具および筐体を示す斜視図である。
【図１２】ベースに対するカバーの取り外し要領を説明するためのもので、ベースのカバー取付部位およびカバーのベース取付部位における取り外し前の状態を示す拡大断面図である。
【図１３】ベースに対するカバーの取り外し要領を説明するためのもので、ベースのカバー取付部位およびカバーのベース取付部位における取り外し後の状態を示す拡大断面図である。
【図１４】従来の高圧用電力量計を示す正面図である。
【図１５】従来の高圧用電力量計を示す斜視図である。
【図１６】図１５の要部拡大斜視図である。
【発明を実施するための形態】
【００２２】
本発明に係る高圧用電力量計の実施形態を図面に基づいて以下に詳述する。この実施形態では、ビルや工場などの電力需要家が使用する契約電力５０ｋＷ以上の電力量を計測して表示する高圧用電力量計としての電子式電力量計を例示する。
【００２３】
この実施形態の電力量計は、図１〜図４に示すように、電力需要家が使用する電力量を計測する計測部（図示せず）、およびその電力量を表示する表示部（図示せず）を搭載したプラスチック等の樹脂製のベース１１と、そのベース１１の前面に取り付けられたプラスチック等の樹脂製のカバー１２とからなる筐体１３を具備する。
【００２４】
ベース１１は、前面が開口した略矩形状の樹脂成形品である。このベース１１の上部には、図示しないが、計測部および表示部を構成する配線基板などが搭載される。また、ベース１１の下部には、電力供給設備からの配電線が接続される電源側端子と、電力需要家内の負荷への配電線が接続される負荷側端子とを有する端子部１４が設けられている。
【００２５】
カバー１２は、背面が開口した略正方形状の樹脂成形品である。このカバー１２の前面には、表示部が目視できるように透明部１５が設けられ、この透明部１５以外の部位が不透明となっている。
【００２６】
この電力量計は、筐体１３の上部および左右両側の３箇所でベース１１にカバー１２が取り付けられている。つまり、ベース１１の上部中央に位置するカバー取付部位１６に対して、カバー１２の上部中央に位置するベース取付部位１７が配置されている。また、ベース１１の左右両側に位置するカバー取付部位１８に対して、カバー１２の下部左右両側に位置するベース取付部位１９が配置されている。
【００２７】
図５および図６に示すように、カバー１２の上部中央に位置するベース取付部位１７は、カバー１２の上部周縁部を外側へ食み出させた膨出部２０を有し、この膨出部２０の上部内周面に突起２１を設けた構造を具備する。
【００２８】
また、ベース１１の上部中央に位置するカバー取付部位１６は、ベース１１の上部周縁部を外側へ突出させた突出部２２を有し、この突出部２２の上側隔壁部２３にカバー１２の突起２１が嵌まり込む凹孔２４を設けた構造を具備する。
【００２９】
図７および図８に示すように、ベース１１の右側に位置するカバー取付部位１８は、ベース１１の側部周縁部を外側へ突出させた突出部２５を有し、この突出部２５に板状部２６を前面側へ突設した構造を具備する。この板状部２６の内側面に突起２７を形成する。この実施形態では、板状部２６の幅方向両側に並ぶ２つの突起２７（図１および図２参照）を設けているが、１つの突起であってもよい。
【００３０】
また、カバー１２の右側に位置するベース取付部位１９は、カバー１２の下部右側周縁部を外側へ食み出させた膨出部２８を有し、この膨出部２８の内部に板状部２６が収容される凹状部２９が形成された構造を具備する。この膨出部２８の凹状部２９の内側隔壁部３０に、ベース１１の板状部２６の突起２７が嵌まり込む凹孔３１を形成する。
【００３１】
一方、ベース１１のカバー取付部位１８では、板状部２６の先端に、後述の封印線４１（図３および図４参照）が挿通される貫通孔３２が形成されている。これに対して、カバー１２のベース取付部位１９では、膨出部２８の外側隔壁部３３の上端に、封印線４１が挿通される貫通孔３４が形成されている。板状部２６の突起２７を内側隔壁部３０の凹孔３１に係止させた引掛け部３５（図８参照）は、カバー１２の膨出部２８の外側隔壁部３３で覆われている。
【００３２】
また、ベース１１のカバー取付部位１８では、ベース１１の背面に開口して板状部２６の内側面に沿って隣接する空隙部３６が形成されている。板状部２６の内側面には、板状部２６の突起２７と内側隔壁部３０の凹孔３１との係止状態を解除するためのリブ３７が突設されている。このリブ３７は、板状部２６の突起２７よりも背面側で幅方向中央の１箇所に配置されている。
【００３３】
なお、カバー１２の左側に位置するベース取付部位１９、およびベース１１の左側に位置するカバー取付部位１８は、前述したカバー１２の右側に位置するベース取付部位１９、およびベース１１の右側に位置するカバー取付部位１８と対称な位置関係でもって同一の構造を有するため、同一部分には同一参照符号を付して重複説明は省略する。
【００３４】
以上のようなベース１１のカバー取付部位１６，１８およびカバー１２のベース取付部位１７，１９を具備した電力量計では、以下の要領でもってカバー１２をベース１１に取り付けて封印している。
【００３５】
まず、図９に示すように、カバー１２の上部中央に位置するベース取付部位１７をベース１１の上部中央に位置するカバー取付部位１６に装着する。つまり、カバー１２の下部を若干持ち上げた状態でベース１１に対してカバー１２を斜めに配置し、カバー１２の膨出部２０の突起２１をベース１１の突出部２２の凹孔２４に引っ掛ける（図６参照）。
【００３６】
この状態から、図１０に示すように、カバー１２の下部左右両側に位置するベース取付部位１９をベース１１の左右両側に位置するカバー取付部位１８に装着する。つまり、図中の矢印で示すように、カバー１２の下部を降下させることにより、カバー１２の左右両側に位置する膨出部２８の凹状部２９にベース１１の左右両側に位置する板状部２６を収容する（図７参照）。
【００３７】
この時、カバー１２の内側隔壁部３０がベース１１の板状部２６の突起２７に当接する。この板状部２６の突起２７の前面側がテーパ状となっていることから、カバー１２の内側隔壁部３０の降下に伴ってその内側隔壁部３０が板状部２６の突起２７を左右外側へ後退させる。これにより、板状部２６の先端が左右外側へ弾性変形する。
【００３８】
さらに、カバー１２の内側隔壁部３０が降下すると、板状部２６の弾性復元力でもって突起２７が左右内側へ前進して内側隔壁部３０の凹孔３１に嵌まり込む（図８参照）。これにより、カバー１２の板状部２６の突起２７とベース１１の内側隔壁部３０の凹孔３１との係止状態が得られる。
【００３９】
このような構造を採用したことにより、板状部２６の突起２７を内側隔壁部３０の凹孔３１に係止させる簡易な構造でもって、カバー１２をベース１１にワンタッチ式で取り付けることが可能となる。
【００４０】
以上のような板状部２６の突起２７と内側隔壁部３０の凹孔３１との係止構造において、板状部２６の貫通孔３２と外側隔壁部３３の貫通孔３４とが同軸上に配置される。これら２つの貫通孔３２，３４に封印線４１（図３および図４参照）を挿通させ、その封印線４１の両端を鉛封印４２（図３および図４参照）で締結する。
【００４１】
ここで、板状部２６の貫通孔３２は、外側隔壁部３３の貫通孔３４よりも大径としていることから（図８参照）、外側に位置する貫通孔３４から内側に位置する貫通孔３２へ封印線４１を挿入することが容易となっている。
【００４２】
また、板状部２６の突起２７を内側隔壁部３０の凹孔３１に係止させた引掛け部３５は、カバー１２における膨出部２８の外側隔壁部３３で覆われた構造となっていることから、ベース１１からカバー１２を取り外す不正行為を確実に防止することができる。
【００４３】
以上のようにして、樹脂製の筐体１３に対して簡易なカバー取り付け構造およびそれに伴う封印構造を実現した電力量計に対して、定期的な点検を実施するに際しては、ベース１１からカバー１２を取り外す必要がある。
【００４４】
この場合、図１１に示すような治具５１を使用する。この治具５１は、基板５２上に筐体１３を位置決めするためのガイド棒５３が植設され、板状部２６の突起２７と内側隔壁部３０の凹孔３１との係止状態を解除するためのピン５４が植設された構造を具備する。この治具５１を利用したカバー１２の取り外しは、以下の要領でもって行われる。
【００４５】
まず、治具５１の基板５２上に筐体１３を載置する。この時、基板５２上のガイド棒５３に筐体１３のベース１１の下部左右両側を押し当てることにより、筐体１３が位置決めされる。この時、図１２に示すように、ピン５４がベース１１の背面に開口して板状部２６の内側面に沿って隣接する空隙部３６に挿入される。これにより、ピン５４の先端が板状部２６のリブ３７に当接する。
【００４６】
このピン５４の先端が板状部２６のリブ３７に当接した後、このリブ３７の背面側がテーパ状となっていることから、ベース１１の降下に伴ってピン５４の先端がリブ３７を左右外側へ後退させる。これにより、板状部２６の先端が左右外側へ弾性変形する。このようにして、図１３に示すように、板状部２６の突起２７が内側隔壁部３０の凹孔３１から離脱することで、板状部２６の突起２７と内側隔壁部３０の凹孔３１との係止状態が解除される。
【００４７】
以上のような要領でもって、ベース１１の背面側からのピン操作により、板状部２６の突起２７と内側隔壁部３０の凹孔３１との係止状態を容易に解除することができる。この係止状態の解除により、ベース１１に対してカバー１２を取り外すことができる。
【００４８】
一方、ベース１１を建築物の壁面に取り付けた電力量計の設置状態では、ベース１１の背面側が建築物の壁面で隠れており、以上のような操作が不可能であるため、ベース１１からカバー１２を取り外す不正行為を確実に防止できる。
【００４９】
本発明は前述した実施形態に何ら限定されるものではなく、本発明の要旨を逸脱しない範囲内において、さらに種々なる形態で実施し得ることは勿論のことであり、本発明の範囲は、特許請求の範囲によって示され、さらに特許請求の範囲に記載の均等の意味、および範囲内のすべての変更を含む。
【符号の説明】
【００５０】
１１  ベース
１２  カバー
１８  ベースのカバー取付部位
１９  カバーのベース取付部位
２６  板状部
２７  突起
２９  凹状部
３０  内側隔壁部
３１  凹孔
３２  貫通孔
３３  外側隔壁部
３４  貫通孔
３５  引掛け部
３６  空隙部
３７  リブ
４１  封印線
【要約】
【課題】  樹脂製の筐体に対して簡易なカバー取り付け構造およびそれに伴う封印構造を容易に実現する。
【解決手段】  樹脂製のベース１１と、そのベース１１の前面に取り付けられた樹脂製のカバー１２とを備えた高圧用電力量計であって、ベース１１のカバー取付部位１８に板状部２６を前面側へ突設すると共に、カバー１２のベース取付部位１９に板状部２６が収容される凹状部２９を設け、板状部２６の内側面に突起２７を形成すると共に凹状部２９の内側隔壁部３０に凹孔３１を形成し、板状部２６の突起２７を内側隔壁部３０の凹孔３１に係止させ、板状部２６の先端に形成された貫通孔３２と凹状部２９の外側隔壁部３３に形成された貫通孔３４とに封印線を挿通させて封印する。
【選択図】    図１【図１】
0006026681.tif 000002
【図２】
0006026681.tif 000003
【図３】
0006026681.tif 000004
【図４】
0006026681.tif 000005
【図５】
0006026681.tif 000006
【図６】
0006026681.tif 000007
【図７】
0006026681.tif 000008
【図８】
0006026681.tif 000009
【図９】
0006026681.tif 000010
【図１０】
0006026681.tif 000011
【図１１】
0006026681.tif 000012
【図１２】
0006026681.tif 000013
【図１３】
0006026681.tif 000014
【図１４】
0006026681.tif 000015
【図１５】
0006026681.tif 000016
【図１６】
0006026681.tif 000017